(57)【特許請求の範囲】
【請求項１】
ＰＣ基盤下面にトリガーキースイッチのスイッチ部を垂設するとともに、該スイッチ部の上側面左右からアームをＰＣ基盤下面に沿って延出し、且つ、該アーム先端はＰＣ基盤縁部に引掛するフックを形成し、更に、該引掛部分内側のＰＣ基盤縁部を凸出させて、該凸出部分を前記フックにて左右から挟装するとともに、該凸出部分左右端縁先端に小突起を設けたことを特徴とするコンピュータゲーム用コントロールパッドのトリガーキースイッチの取付構造。
【発明の詳細な説明】
【０００１】
【発明の属する技術分野】
この発明はコンピュータゲームのコントロールパッドに関するものであり、特に、そのトリガーキースイッチの取付構造に関するものである。
【０００２】
【発明が解決しようとする課題】
此種コントロールパッドには種々のキーが設けられているが、トリガーキー以外のキーはコントロールパッド上面に配設されるため、これらの押下操作によって信号がオンオフするには、コントロールパッド内のＰＣ基盤上面にこれらのキーと対向するようにスイッチを配置しておけば足りる。
【０００３】
しかし、トリガーキーはコントロールパッドの背面に配設され、人差し指にて水平手前方向へ押下操作されるものであるので、トリガーキースイッチは前記ＰＣ基盤と直交するように横向きに設置しなければならない。このため、コントロールパッドを組立てるに際してトリガーキースイッチの取り付け作業が煩雑であった。
【０００４】
そこで、トリガーキースイッチを容易に取り付けることができるようにするために解決すべき技術的課題が生じてくるのであり、本発明は該課題を解決することを目的とする。
【０００５】
【課題を解決するための手段】
本発明は上記課題を解決するために提案されたものであり、ＰＣ基盤下面にトリガーキースイッチのスイッチ部を垂設するとともに、該スイッチ部の上側面左右からアームをＰＣ基盤下面に沿って延出し、且つ、該アーム先端はＰＣ基盤縁部に引掛するフックを形成し、更に、該引掛部分内側のＰＣ基盤縁部を凸出させて、該凸出部分を前記フックにて左右から挟装するとともに、該凸出部分左右端縁先端に小突起を設けたことを特徴とするコンピュータゲーム用コントロールパッドのトリガーキースイッチの取付構造を提供するものである。
【０００６】
【発明の実施の形態】
以下、本発明の実施の形態を図１乃至図３に従って詳述する。図１はコンピュータゲーム用のコントロールパッド１を示し、その背面（紙面上方）中央からケーブル２が延出して、コンピュータ本体（図示せず）へ接続される。また、ボディ３の左右から夫々手前方向（紙面下方）へグリップ４，４が突出している。
【０００７】
そして、図２にも示す如く、該グリップ４，４の基部裏面には夫々トリガーキー５がハウジング６から露出している。該トリガーキー５は前後方向（図２に於いて左右方向）へ摺動自在に形成されており、更に、該トリガーキー５の奥には該トリガーキー５に対向してトリガーキースイッチ７が収納されている。
【０００８】
図３に示す如く、該トリガーキースイッチ７は平板状のベース８の前端部に薄箱状のスイッチ部９を垂設するとともに、前記ベース８の左右後方にアーム１０，１０を延出して成り、アーム１０，１０の先端は上方へ折曲し、更に前方へ折り返すことによりフック１１，１１を形成している。また、前記スイッチ部９の前面には孔部１２が開設され、該孔部１２からダイアフラム状のラバーシート１３が露出している。
【０００９】
図２に示す如く、前記孔部１２は前記スイッチ部９の前面と一体になった円筒１４にて形成されており、該円筒１４の下端縁（図中左）と、スイッチ部９の背面を構成する基盤１５とによって、前記ラバーシート１３の周縁部が挟持固定されている。また、該ラバーシート１３の中央隆起部１６裏面には可動電極１７が配設され、他方、前記基盤１５の内側面には前記可動電極１７に対峙する位置に固定電極１８が配設されている。
【００１０】
斯くして、グリップ４，４を把持し、人差し指を前記トリガーキー５に当てがって水平手前方向（紙面左方）へ押下すれば、該トリガーキー５により前記ラバーシート１３の中央隆起部１６が押し潰されて、前記可動電極１７が固定電極１８に当接し導通する。これにより、前記ケーブル２を介して所定の指令信号がコンピュータ本体へ出力される。
【００１１】
尚、ロワーハウジング６Ｌ内側面には支持板１９，１９が立設されており、該支持板１９，１９にて前記トリガーキースイッチ７のスイッチ部９を後方から支承することにより、前記トリガーキー５の押圧力に対抗するように構成されている。
【００１２】
また、該トリガーキー５を解放すれば、前記ラバーシート１３の弾性力によって該トリガーキー５が水平背面方向（紙面右方）へ押し戻され、且つ、前記可動電極１７が固定電極１８から解離する。
【００１３】
而して、斯かるコントロールパッド１を組立てる際は、先ず、アッパーハウジング６Ｕを逆さに載置する。図１に示す如く、該アッパーハウジング６Ｕのボディ３部分には大小の円孔２０，２０…が開穿されている。そこで、大径の円孔２０には十字キー２１を、小径の円孔２０，２０，２０にはプッシュキー２２，２２，２２を夫々アッパーハウジング６Ｕの内側面から嵌入する。
【００１４】
次いで、その上方にＰＣ基盤２３を敷設する。図示は省略するが、該ＰＣ基盤２３の上面には丁度前記十字キー２１及びプッシュキー２２，２２，２２と対向する位置に固定電極が配設されており、また、これら十字キー２１及びプッシュキー２２，２２，２２とＰＣ基盤２３との間には前記トリガーキースイッチ７に於けるラバーシート１３と同様のラバーシートが介装される。これにより、前記十字キー２１及びプッシュキー２２を押下すれば、所定の指令信号が前記ケーブル２を介してコンピュータ本体へ出力されることになる。
【００１５】
而して、前記ＰＣ基盤２３の前縁部左右両側には夫々平面視矩形状の凸出部２４が設けられており、更に、該凸出部２４の左右端縁先端には小突起２５，２５が設けられている。そして、前記トリガーキースイッチ７はこの凸出部２４に係合することによってＰＣ基盤２３に取り付けられることになる。その取付手順は以下の通りである。
【００１６】
先ず、前記凸出部２４の左右端縁に沿ってその前方に、前記トリガーキースイッチ７のアーム１０，１０を位置合わせしつつ、該トリガーキースイッチ７のベース８をＰＣ基盤２３の下面に当てがう。そして、該トリガーキースイッチ７をＰＣ基盤２３の奥方向へスライドさせる。すると、前記フック１１，１１が前記小突起２５，２５をクリックとともに乗り越え、更に、該フック１１，１１は前記凸出部２４を左右から挟装するとともに、該凸出部２４の左右裾部分に引掛する。
【００１７】
斯くして、トリガーキースイッチ７が極めて簡単にＰＣ基盤２３に取り付けられる。しかも、一旦取り付けた後は前記フック１１，１１が前記小突起２５，２５にて手前方向への動きを規制されるため、故意に引き抜こうとしない限り、該トリガーキースイッチ７がＰＣ基盤２３から外れることはない。
【００１８】
斯かるトリガーキースイッチ７の取り付け後、該トリガーキースイッチ７とＰＣ基盤２３とをリード線（図示せず）にて結ぶ。然る後に、ロワーハウジング６Ｌを蓋着する。該ロワーハウジング６Ｌには予め前記トリガーキー５が装着されている。これにより、図２に示す如く、前記トリガーキースイッチ７のスイッチ部９はトリガーキー５と支持板１９，１９との間に挟装されることになる。
【００１９】
また、アッパーハウジング６Ｕとロワーハウジング６Ｌとには夫々その内側面所定箇所にボス２６，２６…が立設されており、これらハウジング６，６を嵌着すると、双方の対向するボス２６，２６同士が突き合わされて嵌合する。更に、ロワーハウジング６Ｌのボス２６，２６…は中空円筒状になっており、この中空部にビス２７を挿入してアッパーハウジング６Ｕのボス２６，２６…先端の雌螺子に螺合することにより、両ハウジング６，６が一体になる。斯くして、コントロールパッド１の組立が完了する。
【００２０】
尚、本発明は、本発明の精神を逸脱しない限り種々の改変を為すことができ、そして、本発明が該改変されたものに及ぶことは当然である。
【００２１】
【発明の効果】
以上説明したように、本発明はトリガーキースイッチをＰＣ基盤の凸出部分奥方向へ差し込む操作をするだけで、極めて簡単にＰＣ基盤に取り付けることができる。また、取り付けに際して前記凸出部分を目印とすることにより、トリガーキースイッチの位置決めも容易になる。
【００２２】
更に、一旦取り付けた後はトリガーキースイッチのフックが前記凸出部分先端の小突起に引掛して手前方向への動きを規制されるため、故意に引き抜こうとしない限り、トリガーキースイッチがＰＣ基盤から外れることはない。斯くして、コントロールパッドの組立てが容易化される。
【図面の簡単な説明】
【図１】本発明の一実施の形態を示し、コントロールパッドの平面図。
【図２】図１のＡ−Ａ線断面図。
【図３】トリガーキースイッチの斜視図。
【符号の説明】
１        コントロールパッド
４        グリップ
５        トリガーキー
７        トリガーキースイッチ
８        ベース
９        スイッチ部
１０        アーム
１１        フック
２３        ＰＣ基盤
２４        凸出部
２５        小突起
【図１】
0003704830.tif 000002
【図２】
0003704830.tif 000003
【図３】
0003704830.tif 000004